(57)【特許請求の範囲】
【請求項１】
前面板、天板、後面板および底板よりなる筒状体であって、底板前端を延長して延長部となし、前面板の下端に前面板の裏面に折返す折返し板を形成し、この折返し板の両側又は中央部の前面板寄りに切目を設けて底板前端の延長部貼着片を区画し、折返し板の先端に筒状体を二分する中間板と、この中間板先端に後面板の裏面に貼着する貼着板を形成し、折返し板を前面板裏面に折返して前面板に延長部貼着片を除いて貼着させ、後面板裏面に前記貼着板を貼着させ、前記筒状体の両側端開口部に天板支持板を形成し、この天板支持板で天板を支持せしめ、天板にバイアルの径より大きなバイアル挿入孔を複数個形成し、このバイアル挿入孔よりのバイアルの底部を中間板で受けるようになし、これら天板と中間板をバイアル起立台となすともに、前記延長部貼着片を底板の前端延長部に貼着せしめ、この底板の前端延長部をアンプル収納部となしたことを特徴とするバイアル起立台とアンプル収納部を具備した容器。
【請求項２】
前面板或いは後面板の両側、又は前面板と後面板の左右反対側の一側に、天板と底板の間に折込む天板支持板が形成され、前面板下端に設けた前面板裏面の折返し板先端に形成した中間板を係止する切込みを各天板支持板側端部に形成し、各天板支持板が前面板或いは後面板に連設される側の中間板の角部を頂点とする三角形状の折込み用切欠部を中間板側端部に形成して、この折込み用切欠部に天板支持板を折込むことにより天板支持板を筒状体内へ折込み可能となし、三角形状の折込み用切欠部の前記した角部の対辺に天板支持板側端部の切込みが係止する係止部を形成したことを特徴とする請求項１記載のバイアル起立台とアンプル収納部を具備した容器。
【請求項３】
天板に形成したバイアル挿入孔内の周囲に複数のバイアル側面支持用突片を設けたことを特徴とする請求項１又は請求項２記載のバイアル起立台とアンプル収納部を具備した容器。
【請求項４】
前面板或いは後面板の両側、又は前面板と後面板の左右反対側の一側に、天板と底板の間に折込む天板支持板が形成され、前面板下端に設けた前面板裏面の折返し板先端に形成した中間板を係止する切込みを各天板支持板側端部に形成し、これら切込みの上下部に天板支持板の側端から内方へ形成した切目とこれら切目の天板支持板の内端を結ぶ折目と、で係止片が形成され、これら係止片を各天板支持板より折返し可能となし、各係止片を天板支持板より筒状体の外方へ鉤状に反らせ、各天板支持板が前面板或いは後面板に連設される側の中間板の角部を頂点とする三角形状の折込み用切欠部を中間板側端部に形成して、この折込み用切欠部に天板支持板を折込むことにより天板支持板を筒状体内へ折込み可能となし、三角形状の折込み用切欠部の前記した角部の対辺における中間板に前記鉤状に反らせた係止片が嵌まり込む係止片切欠部を形成し、この係止片切欠部より先端の前記対辺を、前記係止片の切込みが係止する係止部とし、前記三角形状の折込み用切欠部に折込んだ各天板支持板を係止するようにしたことを特徴とする請求項１又は請求項３記載のバイアル起立台とアンプル収納部を具備した容器。
【請求項５】
補強板が後面板および底板の中央部に両側に達しない折目と、これら折目の両端を結ぶ切目を後面板および底板に設けて形成され、この補強板を筒状体内部に折込み、この補強板のうち、後面板部分を中間板裏面に貼着し、筒状体の中間板の補強となしたことを特徴とする請求項１〜４記載のバイアル起立台とアンプル収納部を具備した容器。
【請求項６】
天板に形成した複数のバイアルの径より大きなバイアル挿入孔が折目線と切目線を交互に配した輪郭線で構成され、この輪郭線における各隣接する切目線を連結する連結切目をこの輪郭線内に形成し、輪郭線内を複数の分割片に区分せしめ、バイアルをバイアル挿入孔に挿入するとき、輪郭線の切目線および連結切目を開裂し、輪郭線内に分割片を前記折目線により下方に折込むようになし、バイアルの側面を支持するようになしたことを特徴とする請求項１，２，４および５記載のバイアル起立台とアンプル収納部を具備した容器。
【発明の詳細な説明】
【０００１】
【発明の属する技術分野】
本発明は、バイアル起立台とアンプル収納部を具備した容器に関するものである。詳しくは、高さの異なった２種類の内容物を収納する、省資源が可能で、容器自体が丈夫で、内容物のがたつきのない容器に関するものである。
【０００２】
【従来の技術】
従来、この種高さの異なった２種類の内容物を収納する容器には、図８の（１）に示すように、背の低い内容物用の上げ底を構成する筒体ａを設けている。そして、この筒体ａの上方に巻込み式に天板ｂを設け、この天板ｂから筒体ａの後面ｃおよび底面ｄへと紙材を添接し、この天板ｂに背の低い内容物挿入孔ｅを形成している。また、この底面ｄに添接する添接板ｆの前端を筒体ａより延長し、この延長部ｇを背の高い内容物収納部ｈとしている。
【０００３】
【発明が解決しようとする課題】
従来のこの種高さの異なった２種類の内容物を収納する容器は、底部が上げ底を構成する筒体ａの底面ｄと、巻込み式に設けられた、背の高い内容物収納部ｈを構成するためにこの底面ｄに添接する添接板ｆの前端を筒体ａより延長する必要がある。それで、底面ｄと添接板ｆとが二重になっている。そのため、紙材を余分に必要とする問題点があった。
【０００４】
また、従来のこの種容器は、上げ底を構成する筒体ａと巻込み式に設けた天板ｂとからなるため、容器に前後面方向から力がかかると、容器は容易に偏平に変形するといった使い勝手の悪い問題点があった。
【０００５】
さらに、従来は上げ底を構成する筒体ａの上方に設けた天板ｂには、背の低い内容物挿入孔ｅを穿設しているが、この挿入孔ｅには背の低い内容物の動きを押さえたりする作用がなく、内容物が挿入孔ｅ内で移動する。そのため、挿入孔ｅ内で内容物ががたつくという問題点があった。
【０００６】
本発明は、このような問題点を払拭した省資源が可能で、容器自体が丈夫で、使い勝手が良く、内容物のがたつきのない、バイアル起立台とアンプル収納部を具備した容器を提供することを目的とする。
【０００７】
【課題を解決するための手段】
この目的を達成するために、本発明のうち、請求項１に記載の発明は、前面板、天板、後面板および底板よりなる筒状体であって、底板前端を延長して延長部となし、前面板の下端に前面板の裏面に折返す折返し板を形成し、この折返し板の両側又は中央部の前面板寄りに切目を設けて底板前端の延長部貼着片を区画し、折返し板の先端に筒状体を二分する中間板と、この中間板先端に後面板の裏面に貼着する貼着板を形成し、折返し板を前面板裏面に折返して前面板に延長部貼着片を除いて貼着させ、後面板裏面に前記貼着板を貼着させ、前記筒状体の両側端開口部に天板支持板を形成し、この天板支持板で天板を支持せしめ、天板にバイアルの径より大きなバイアル挿入孔を複数個形成し、このバイアル挿入孔よりのバイアルの底部を中間板で受けるようになし、これら天板と中間板をバイアル起立台となすともに、前記延長部貼着片を底板の前端延長部に貼着せしめ、この底板の前端延長部をアンプル収納部となしたことを特徴とする。
【０００８】
また、請求項２記載の発明は、請求項１記載の発明に加えて、前面板或いは後面板の両側、又は前面板と後面板の左右反対側の一側に、天板と底板の間に折込む天板支持板が形成され、前面板下端に設けた前面板裏面の折返し板先端に形成した中間板を係止する切込みを各天板支持板側端部に形成し、各天板支持板が前面板或いは後面板に連設される側の中間板の角部を頂点とする三角形状の折込み用切欠部を中間板側端部に形成して、この折込み用切欠部に天板支持板を折込むことにより天板支持板を筒状体内へ折込み可能となし、三角形状の折込み用切欠部の前記した角部の対辺に天板支持板側端部の切込みが係止する係止部を形成したことを特徴とする。
【０００９】
さらに，請求項３記載の発明は、請求項１又は請求項２記載の発明に加えて、天板に形成したバイアル挿入孔内の周囲に複数のバイアル側面支持用突片を設けたことを特徴とする。
【００１０】
請求項４に記載の発明は、請求項１又は請求項３に記載の発明に加えて、前面板或いは後面板の両側、又は前面板と後面板の左右反対側の一側に、天板と底板の間に折込む天板支持板が形成され、前面板下端に設けた前面板裏面の折返し板先端に形成した中間板を係止する切込みを各天板支持板側端部に形成し、これら切込みの上下部に天板支持板の側端から内方へ形成した切目とこれら切目の天板支持板の内端を結ぶ折目と、で係止片が形成され、これら係止片を各天板支持板より折返し可能となし、各係止片を天板支持板より筒状体の外方へ鉤状に反らせ、各天板支持板が前面板或いは後面板に連設される側の中間板の角部を頂点とする三角形状の折込み用切欠部を中間板側端部に形成して、この折込み用切欠部に天板支持板を折込むことにより天板支持板を筒状体内へ折込み可能となし、三角形状の折込み用切欠部の前記した角部の対辺における中間板に前記鉤状に反らせた係止片が嵌まり込む係止片切欠部を形成し、この係止片切欠部より先端の前記対辺を、前記係止片の切込みが係止する係止部とし、前記三角形状の折込み用切欠部に折込んだ各天板支持板を係止するようにしたことを特徴とする。
【００１１】
請求項５に記載の発明は、請求項１〜４に記載の発明に加えて、補強板が後面板および底板の中央部に両側に達しない折目と、これら折目の両端を結ぶ切目を後面板および底板に設けて形成され、この補強板を筒状体内部に折込み、この補強板のうち、後面板部分を中間板裏面に貼着し、筒状体の中間板の補強となしたことを特徴とする。
【００１２】
請求項６に記載の発明は、請求項１，２，４および５記載の発明に加えて、天板に形成した複数のバイアルの径より大きなバイアル挿入孔が折目線と切目線を交互に配した輪郭線で構成され、この輪郭線における各隣接する切目線を連結する連結切目をこの輪郭線内に形成し、輪郭線内を複数の分割片に区分せしめ、バイアルをバイアル挿入孔に挿入するとき、輪郭線の切目線および連結切目を開裂し、輪郭線内に分割片を前記折目線により下方に折込むようになしたことを特徴とする。
【００１３】
【発明の実施の形態】
以下に、添付図面に示す実施例に基づき本発明のバイアル起立台とアンプル収納部を具備した容器に対する実施形態を詳細に説明する。
【００１４】
図１は、本発明のバイアル起立台とアンプル収納部を具備した容器を任意外箱に収納した時の状態を示した斜視図である。図２は、バイアル起立台とアンプル収納部を具備した容器のみの斜視図である。図３は、バイアル起立台とアンプル収納部を具備した容器の裏面より見た展開図である。図４〜図６は、この容器の組立て途中の状態を示した平面図である。図７は、アンプル仕切り体の一例を示したもので、（１）はその正面図で、（２）は下方の蓋板を延ばした状態の底面図である。図８は、従来の巻込み式の容器と本発明のバイアル起立台とアンプル収納部を具備した容器との比較を示した概略側断面図で、（１）は従来の巻込み式の容器のもので、（２）は本発明のバイアル起立台とアンプル収納部を具備した容器のものである。図９は、別の実施態様のバイアル起立台とアンプル収納部を具備した容器のみの斜視図である。図１０は、図９のバイアル起立台とアンプル収納部を具備した容器の裏面より見た展開図である。図１１は、図９のバイアル起立台とアンプル収納部を具備した容器の背面より見た斜視図である。
【００１５】
本発明は、従来のように、底部が上げ底を構成する筒体と、巻込み式に設けられた、背の高い内容物収納部を設けず、前面板、天板、後面板、および底板よりなる筒状体であって、底板前端に延長部を形成したものである。
【００１６】
この組立てにあたって、前面板下端に形成した折返し板に切目を設けて区画した底板の延長部貼着片を形成し、この折返し板を延長部貼着片を除き前面板裏面に折返して貼着する。また、折返し板の先端に連設した中間板を、中間板の先端の貼着板を後面板裏面に貼着して筒状体を中間で二分する。そして、前記延長部貼着片を底板の前端延長部に貼着し、図８の（２）に示すように完成するものである。
【００１７】
よって、本発明のバイアル起立台とアンプル収納部を具備した容器は、従来のように、上げ底を構成する筒体の上方に、この筒体を巻込むように天板を設けていない。
【００１８】
そして、本発明は、前面板、天板、後面板および底板よりなる筒状体に、前面板或いは後面板の両側、又は前面板と後面板の左右反対側の一側に、天板と底板の間に折込む天板支持板を形成し、中間板に係止するようにしたものである。
【００１９】
（実施形態１）
図３の展開図に基いて本発明の一実施形態について説明する。折返し板２は、前面板１の下端に折返し用折目２１を設けて形成したものである。折返し板２の大きさは、前面板１の半分以上の大きさに形成したものである。この折返し板２は、前面板１の下端部の裏面に折返すものである。
【００２０】
この折返し板２の前側板１寄りの両側部に、前面板１と折返し板２の間の折返し用折目２１の両側端部に一端を発し、それぞれの他端が前記一端と最寄りの折返し板２の両側端に達する切目２２，２２を設け、底板１０の前端延長部１０２に貼着する貼着片４、４を区画する。
【００２１】
天板３は、前面板１の上端に折込み用折目３１を設けて形成したものである。この天板３には、適宜個数のバイアルＡの径より大きいバイアル挿入孔３２を並設する。
【００２２】
このバイアル挿入孔３２は、それぞれの一辺を天板３の折込み用折目３１と、天板３の先端に形成した後面板７の折込み用折目７１上とに位置させてそれぞれ前記折込み用折目３１と７１寄りの天板３に上下二列で互いに位置をずらせて形成したものである。
【００２３】
なお、バイアル挿入孔３２は、天板３の折込み用折目３１と後面板７の折込み用折目７１上の天板３に、それぞれの一辺を位置させているが、バイアル挿入孔３２を天板３内に設けてもよいものである。
【００２４】
底板前端の延長部貼着片４，４は、前記した切目２２，２２と、前面板１と折返し板２の折返し用折目２１とで囲まれる折返し板２からなるものである。この延長部貼着片４，４は、前面板１と連続して折返し板２より区画し、折返し板２より切抜いて設けたものである。
【００２５】
中間板５は、筒状体１１を中間で二分するものである。この中間板５は、折返し板２の先端に形成されたもので、折返し板２の先端と中間板５との間には、中間板折込み用折目５１が設けられている。そして、この中間板５は、前記天板３と同じ大きさに形成したものである。
【００２６】
後面板７の裏面貼着片６は、前記中間板５の先端に後面板７の裏面への折込み用折目６１を設けて形成したもので、この後面板７の裏面へ貼着するものである。また、後面板７は、天板３の後端に設けたもので、後面板７と天板３の間には、後面板折込み用折目７１が設けられている。
【００２７】
底板１０は、後面板７の後端に設けたものである。底板１０は、後面板７の後端との間に折込み用折目１０１を設けて形成し、この底板１０の前端を延出して前端延長部１０２を形成したものである。
【００２８】
筒状体１１は、前記折返し板２の裏面に、図３に示すように、両側の貼着片４，４から前面板１の基部に亘って一連に糊８を塗布する。そして、図４に示すように、折返し板２を両側の貼着片４，４を除いて前面板１の裏面に折返してその裏面に貼着する。
【００２９】
この貼着片４は、貼着片を構成する切目２２が折返し用折目２１に両端を終始するようにすることもでき、両側端部と中央部等の三箇所以上に設けてもよく、両側端部に設けず、中央部等の一箇所以上に設けることもできる。
【００３０】
次に、図４に示すように、前面板１と天板３の裏面に折返し板２、中間板５および後面板７裏面への貼着板６を折返す。このうち、先端の後面板裏面への貼着板６を図５に示すように、中間板５の上（表面）に折返し、後面板７裏面への貼着板６に糊９を塗布する。
【００３１】
そして、図６に示すように、後面板７とこの後面板７後端に折込み用折目１０１を設けて形成した、底板１０と底板前端延長部１０２を、後面板７の折込み用折目７１において折返し板２、中間板５および後面板７の裏面貼着板６上に折り返す。このとき、後面板７裏面への貼着板６には、裏面に糊９が塗布されており、後面板７裏面への貼着板６は、後面板７の裏面中間部に貼着される。
【００３２】
そして、底板前端延長部１０２は、折返し板２から切抜かれた両側の貼着片４，４の裏面に重ね合される。このとき、前記したように、貼着片４，４の裏面には、糊８が塗布されており、貼着片４，４は底板前端延長部１０２に貼着される。
【００３３】
こうして、図６に示すように、筒状体１１は、偏平状態として完成する。そして、完成した偏平状態のものを、折込み用折目２１，３１，７１，１０１において前面板１、後面板７を底板１０より起立させ、天板３、前面板１、後面板７および底板１０で筒状体１１を形成する。
【００３４】
天板支持板１４，１４は、前面板１の左端に折目１４１を設けて、また、後面板７の右端に折目１４１を設けて前記筒状体１１の開口側端部の大きさより僅かに小さく形成したものである。
【００３５】
各天板支持板１４の側端部中間に設けた中間板係止用切込み１５は、各天板支持板１４の側端が前記中間板５の側端に当接する位置に、Ｖ字状に形成したものである。
【００３６】
この実施形態では前面板１と後面板７との左右反対側のいずれか一側に天板支持板１４，１４を設けたものであるが、前面板１或いは後面板７のどちらか一方の両側に設けることもできる。
【００３７】
また、各天板支持板１４は、前面板１、後面板７の側端以外に筒状体１１の両側端開口部の天板３或いは底板１０の両側、又は天板３と底板１０の左右反対側の一側に形成してもよい。その場合、各天板支持板１４は、筒状体１１の両側端開口部を塞ぐものとし、各天板支持板１４の側端に天板３と底板１０の内面に挿し込む挿し込みフラップなどを連設してもよい。
【００３８】
一方、中間板５の両側にこれら天板支持板１４を筒状体１１の内部方向に折込むための天板支持板１４の折込み用切欠部１６，１６を設ける。
【００３９】
これら折込み用切欠部１６，１６は、それぞれ各天板支持板１４が前面板１と後面板７に連設される側の中間板５の角部を頂点として中間板５の両側部に三角形状に形成したものである。
【００４０】
各天板支持板１４の側端部が当接する折込み用切欠部１６，１６の三角形の角部を頂点とする対辺に突起部を形成する。これら突起部は、中間板５の内部寄りの対辺の隅部に形成したもので、各天板支持板１４に設けた側端部中間の切込み１５を係止する係止部１７，１７とする。
【００４１】
そして、これら係止部１７，１７は、各天板支持板１４を筒状体１１の内方に折目１４１，１４１をおいて折込んだとき、各天板支持板１４を切込み１５が係止し、折込み状態を維持するとともに、各天板支持板１４の移動を防止する。
【００４２】
以上のように構成した筒状体１１の内部に天板支持板１４，１４を折込むと、各天板支持板１４の上下は、図２に示すように、天板３と底板１０との左右端部を支える。そして、各天板支持板１４の側端部中間の切込み１５で、中間板５の天板支持板１４の折込み用切欠部１６を介して後面板７、前面板１のそれぞれ左右端部を支持し、天板支持板１４，１４の基部の折目１４１，１４１で前面板１、後面板７のそれぞれ左右端部を支える。
【００４３】
このように、各天板支持板１４は、筒状体１１の前後面板１，７および天板３と底板１０との左右端部の周囲を支え、バイアル起立台とアンプル収納部を具備した容器自体を丈夫で、使い勝手が良いものにするものである。
【００４４】
そして、筒状体１１の内部は中間板５により二分され、中間板５を上げ底とし、天板３に設けたバイアル挿入孔３２より嵌入したバイアルＡの底部を中間板５上に起立状に支持する。そして、この天板３の下方に中間板５を配した筒状体１１をバイアル起立台１２とする。
【００４５】
また、底板１０の前端を延長し、この底板１０の前端延長部１０２に前記折返し板２の両側の前端延長部への貼着片４，４を添接し、前記糊８により貼着する。そして、底板１０の前端延長部１０２を筒状容器１１よりの出っ張り部としてアンプル収納部１３とする。
【００４６】
バイアル挿入孔３２は、天板３に形成したバイアルＡの径より大きい孔である。バイアル挿入孔３２は、図３に示すように、天板３の前後端における天板３の折込み折目３１，後面板７の折込み折目７１上にバイアル挿入孔３２の端を接して５個ずつ相互にバイアル挿入孔３２の半個分ずつずらせて上下二列に形成したものである。
【００４７】
３個のバイアル側面支持用の半円状突片１８は、バイアル挿入孔３２の天板３の前後端における前記の折目３１，７１上を除く周囲の三個所に突片折込み折目１８１を設けて形成したものである。これら各半円状突片１８は、バイアル挿入孔３２に挿入されたバイアルＡの側面を突っ張って支持し、バイアルＡの移動を抑えるものである。
【００４８】
これらの突片１８を設けることにより、バイアルＡのバイアル挿入孔３２内でのがたつきを抑止でき、輸送時に不測にバイアル同志が衝突することを未然に防止できる。
【００４９】
この実施形態１での中間板５の両側端部と天板支持板１４，１４との係止のために、中間板両側端の三角形状の折込み用切欠部１６，１６の対辺に突起部としての係止部１７，１７を形成する。
【００５０】
この実施形態では、底板１０の前端を延長した前端延長部１０２のアンプル収納部１３には、図７に示すようなロンドレーションによる仕切り体１９にアンプルＢを収容し、仕切り体１９の上下に蓋板１９２，１９２を設けたトレー１９１を挿入する。また、仕切り体１９としては、ロンドレーションによるものに限るものではなく、その他の仕切り装置であっても良い。
【００５１】
さらに、実施形態１のバイアル起立台とアンプル収納部を具備した容器は、図１に示すように、バイアルＡをバイアル挿入孔３２に挿入し、アンプルＢを仕切り体１９に収容して任意の外箱２０に収容するものである。
【００５２】
（実施形態２）
次に、本発明の別の実施形態について説明する。この実施形態のものは、前記実施形態１のものと比較して、天板支持板の側端部に形成した切込み周囲に切目と折目を設け、これら切目と折目で囲まれる天板を係止片となしたものである。そして、中間板両側にこれら天板支持板を筒状体の内部方向に折込むための折込み用切欠部に、天板支持板から反らせた前記係止片を嵌め込むための係止片切欠部を形成して係止片をロックするようにしたものである。
【００５３】
それに、複数のバイアルの径より大きなバイアル挿入孔が交互に折目線と切目線を配した輪郭線で構成され、この輪郭線における隣接する切目線を連結する連結切目をこの輪郭線内に形成し、輪郭線内を分割片となしたものである。
【００５４】
だから、バイアルのバイアル挿入孔内への充填作業に、バイアルを押込む作業が必要になり、各分割片を折目線で折込む力が抵抗となり、天板とその下方の中間板が撓むため、前記ロックが外れることがある。それで、中間板下面に補強板を設けたものである。
【００５５】
図１０の展開図に基いて本発明の別の実施形態について説明する。係止片２３，２３は、中間板５の側端を係止するための切込み１５，１５の上下に形成した切目２４，２４と切目２４，２４の内端を結ぶ折目２５とで囲まれた天板支持板１４，１４よりなる。これら側端係止用切込み１５，１５は、実施形態１と同様に形成した天板支持板１４，１４に設けたものである。
【００５６】
これら側端係止用切込み１５の上下部の切目２４は、各天板支持板１４の側端から内方へ形成したものである。これら切目２４は、中間板５の側端係止用切込み１５の深さを越えるものであればよいが、この実施形態では、天板支持板１４の長さの略１／４に形成したものである。
【００５７】
各係止片２３の内端の折目２５は、各係止片２３を天板支持板１４より折返し可能となし、天板支持板１４に対し係止片２３を筒状体１１の外方へ鉤状に反らせるものである。
【００５８】
前記実施形態１と同様の三角形状の天板支持板の折込み用切欠部１６，１６は、それぞれ各天板支持板１４が前面板１と後面板７に連設される側の中間板５の角部を頂点として中間板５の両側部に三角形状に形成したものである。
【００５９】
中間板５の各三角形状の折込み用切欠部１６の前記した角部の対辺に、前記鉤状に反らせた係止片２３の側端係止用切込み１５部が嵌まり込む係止片切欠部２６を形成する。
【００６０】
各係止片切欠部２６より先端の対辺を、前記係止片２３の各天板支持板１４の側端に形成した側端係止用切込み１５が係止する突起部２７とした。
【００６１】
よって、各係止片２３と係止片切欠部２６との係止は、図９および図１１に示すように、各係止片２３を各天板支持板１４より鉤状に折曲し、係止片切欠部２６に嵌め込むから、側端係止用切込み１５が突起部２７を突き返すようになる。
【００６２】
これら側端係止用切込み１５が突起部２７を突き返すようになることで、各係止片２３と係止片切欠部２６との係止は、各係止片２３がロックされた状態となり、外れにくくなる。
【００６３】
このことにより、バイアルＡが挿入されるときに、天板３および中間板５に力が掛かっても、中間板５の両側端と各天板支持板１４の係止が解かれることがない。
【００６４】
また、このロック状態を解除するときには、係止片２３に指を掛け、係止片２３を天板支持板１４より筒状体１１の外側に反らすと、側端係止用切込み１５が突起部２７の係止から開放され、ロックは解除される。
【００６５】
補強板２８は、後面板７から底板１０に亘って形成したもので、中間板５が撓むことなく、中間板を補強できるものである。この補強板２８は、後面板７および底板１０の中央部に両側に達しないように設けた、後面板７と底板１０間の折目１０１と平行な折目２９，３０と、折目２９，３０の両端を結ぶ切目３３，３３で囲まれる後面板７および底板１０で構成する。
【００６６】
この補強板２８を前記折目２９，３０で、補強板２８の中央の折目１０１を筒状体１１内方に折込む。そして、この補強板２８のうち、後面板７側の前記折目２９と折目１０１との間の裏面に糊７２を塗布し、この折目２９と折目１０１との間を中間板５の裏面に貼着する。
【００６７】
この補強板２８で中間板５を裏面より支えることにより、中間板を補強できる。即ち、バイアルＡを筒状体１１の天板３にバイアル挿入孔３２より押込むときの抵抗が大きく、また、中間板５上に載置するバイアルＡの重量が重くても、中間板５は撓むことがない。
【００６８】
バイアル挿入孔３２として、この孔の周囲が交互に折目線３５と切目線３６を配した輪郭線３４で構成され、この輪郭線３４における隣接する切目線３６を連結する連結切目３７をこの輪郭線３４内に形成する。そして、輪郭線３４内を切目線３６と連結切目３７で分割し、それぞれを分割片３８となす。
【００６９】
よって、バイアルＡをバイアル挿入孔３２に挿入するとき、輪郭線３４の切目線３５、連結切目３７が開裂し、輪郭線３４内の各分割片３８を折目線３５により下方に折込み、バイアルＡの側面を支持するようになしたものである。
【００７０】
さらに、本実施形態では、バイアル挿入孔３２として、抜き穴としないため、各バイアル挿入孔３２に抜きかすが残らず、抜きかすを取り除く手間が掛からない。
【００７１】
また、底板１０の前端を延長した前端延長部１０２のアンプル収納部１３には、実施形態１と同様の図７に示すような仕切り体１９にアンプルＢを収容し、仕切り体１９の上下に蓋板１９２，１９２を設けたトレー１９１を挿入する。また、仕切り体１９としては、ロンドレーションによるものに限るものではなく、その他の仕切り装置であっても良い。
【００７２】
さらに、実施形態２のバイアル起立台とアンプル収納部を具備した容器を使用するときには、実施態様１と同様にバイアルＡをバイアル挿入孔３２に挿入し、アンプルＢを仕切り体１９に収容して任意の外箱２０に収容するものである。
【００７３】
【発明の効果】
本発明のバイアル起立台とアンプル収納部を具備した容器は、従来の巻込み式で作製された高さの異なる二種類の内容物を収納する容器と比べて、底面の一枚分だけ紙材が少なくて良く、省資源である。
【００７４】
前面板或いは後面板の両側、又は前面板と後面板との左右反対側の一側に天板支持板を設けるから、天板支持板で天板と底板を支持する。また、前面板または後面板の一側に連設した各天板支持板の切込みを前後面板に固定した中間板の両側の三角形状の折込み用切欠部に設けた係止部に係止して固定したから、天板支持板で前後面板を支持する。だから、天板、前後面板および底板のいずれの方向よりの押圧に対しても丈夫となる。これにより、天板のバイアル挿入孔にバイアルを収納するにあたり、天板および中間板等の撓みがなく、バイアルの収納がし易く、使い勝手が良くなる。
【００７５】
バイアルより大きいバイアル挿入孔の周囲に突片を設けたから、バイアル挿入孔に挿入されたバイアルは、バイアル挿入孔の周囲から突っ張って押えられ、この孔内でのバイアルのがたつきがなく、緩衝効果は優れたものになる。
【００７６】
前面板或いは後面板の両側、又は前面板と後面板との左右反対側の一側に天板支持板を設け、天板支持板で天板と底板を支持する。また、前面板または後面板の一側に連設した各天板支持板の切込みの上下部に切目と、これら切目の内端を結ぶ折目により係止片を成形する。そして、この係止片を前後面板に固定した中間板の両側の三角形状の折込み用切欠部に設けた係止片切欠部に嵌め込み、係止片の前記切込みを突起部に係止して固定したから、この係止片が中間板を突き返すように支持する。だから、天板、前後面板および底板のいずれの方向よりの押圧に対しても丈夫となる。これにより、天板のバイアル挿入孔にバイアルを収納するにあたり、天板および中間板等の撓みがなく、バイアルの収納がし易く、使い勝手がさらに良くなる。
【００７７】
後面板と底板に亘って補強板を形成し、この補強板のうち後面板側の部分を中間板裏面に貼着したから、中間板が補強され、天板のバイアル挿入孔にバイアルを押込んでも、中間板が撓むことがない。さらに、収納される背の低い内容物の重量により中間板が撓むことがない。
【００７８】
バイアル挿入孔として、孔の周囲を交互に折目線と切目線を配した輪郭線で構成し、隣接する切目線を連結する連結切目を輪郭線内に設け、輪郭線内を複数の分割片に区分している。よって、バイアルをバイアル挿入孔に押込むときに、天板から押込まれた各分割片はバイアル挿入孔内に押込まれる。このことにより、前記突片を設けた場合と較べて、さらにバイアルの側面支持が良好となり、この孔内でのバイアルのがたつきがなく、緩衝効果は優れたものになる。
【図面の簡単な説明】
【図１】本発明の実施形態１のバイアル起立台とアンプル収納部を具備した容器を任意外箱に収納時の状態を示した斜視図である。
【図２】本発明の同バイアル起立台とアンプル収納部を具備した容器のみの斜視図である。
【図３】本発明の同バイアル起立台とアンプル収納部を具備した容器の内面から見た展開図である。
【図４】本発明の同バイアル起立台とアンプル収納部を具備した容器の組立て途中の状態を示したもので、折返し板を前面板内面に貼着した時の平面図である。
【図５】本発明の同バイアル起立台とアンプル収納部を具備した容器の組立て途中の状態を示したもので、図４の状態から中間板先端の貼着片を中間板外面に折返した時の平面図である。
【図６】本発明の同バイアル起立台とアンプル収納部を具備した容器の組立て途中の状態を示したもので、図５の状態から後面板および底板を内方に折返し、貼着片を後面板内面に貼着した時の平面図である。
【図７】アンプル仕切り体の一例を示したもので、（１）はその平面図で、（２）は下方の蓋板を伸ばした状態の底面図である。
【図８】従来の巻込み式の容器と本発明のバイアル起立台とアンプル収納部を具備した容器との比較を示した概略側面図で、（１）は従来の巻込み式の容器のもので、（２）は本発明のバイアル起立台とアンプル収納部を具備した容器のものである。
【図９】本発明の実施形態２のバイアル起立台とアンプル収納部を具備した容器のみの斜視図である。
【図１０】図９のバイアル起立台とアンプル収納部を具備した容器の内面より見た展開図である。
【図１１】図９のバイアル起立台とアンプル収納部を具備した容器の背面より見た斜視図である。
【符号の説明】
１  前面板
２  折返し板
２１  折目
２２  切目
３  天板
３１  折目
３２  バイアル挿入孔
４  貼着片
５  中間板
５１  折目
６  貼着板
６１  折目
７  後面板
７１  折目
８  糊
９  糊
１０  底板
１０１  折目
１０２  前端延長部
１１  筒状体
１２  バイアル起立台
１３  アンプル収納部
１４  天板支持板
１４１  折目
１５  側端係止用切込み
１６  折込み用切欠部
１７  係止部
１８  突片
１８１  折目
１９  仕切り体
１９１  トレー
１９２  蓋板
２０  外箱
２３  係止片
２４  切目
２５  折目
２６  係止片切欠部
２７  突起部
２８  補強板
２９，３０  折目
３３  切目
３４  輪郭線
３５  折目線
３６  切目線
３７  連結切目
Ａ  バイアル
Ｂ  アンプル
【図１】
0003757257.tif 000002
【図２】
0003757257.tif 000003
【図３】
0003757257.tif 000004
【図４】
0003757257.tif 000005
【図５】
0003757257.tif 000006
【図６】
0003757257.tif 000007
【図７】
0003757257.tif 000008
【図８】
0003757257.tif 000009
【図９】
0003757257.tif 000010
【図１０】
0003757257.tif 000011
【図１１】
0003757257.tif 000012